(57)【要約】【課題】通信ケーブル固定装置を備え、通信ケーブルが引っ張られても通信ケーブル接続コネクタに懸かる負荷を抑えることができるＩＰ電話機を提供する。【解決手段】ＩＰ電話機１０は、載置される電話機本体後部の高さ調節が可能なストッパ１５が設けられた台座１１の上に載置され、ＩＰ電話機１０の電話機本体背面に通信ケーブル接続コネクタ１２が設けられ、通信ケーブル接続コネクタ１２に通信ケーブル１３が接続されるとともに、通信ケーブル固定装置１４により接続された通信ケーブル１３の状態を固定するようにしている。【選択図】　　図１
2004104668.tif 000002
【特許請求の範囲】
【請求項１】
電話機本体背面に設けられた通信ケーブル接続コネクタに通信ケーブルを接続するＩＰ電話機において、前記ＩＰ電話機は、前記通信ケーブルを固定する通信ケーブル固定装置を備え、前記通信ケーブル固定装置は、前記ＩＰ電話機を載置する台座に固着されたことを特徴とするＩＰ電話機。
【請求項２】
前記通信ケーブル固定装置は、天面と前記天面に隣接する斜面と前記斜面に隣接する正面に向けて貫通する切り欠き溝を備え、前記きり欠き溝に前記通信ケーブルを挿通させることを特徴とする請求項１に記載のＩＰ電話機。
【請求項３】
前記通信ケーブル固定装置の前記正面の裏側にガイド突起と弾性を有する一対の爪部を備えていることを特徴とする請求項１に記載のＩＰ電話機。
【請求項４】
前記ガイド突起は前記台座に設けられた空隙に案内されるとともに、前記一対の爪部は前記台座に設けられた取付孔を貫通して前記台座にロックされるよう構成した請求項３に記載のＩＰ電話機。
【請求項５】
前記通信ケーブル固定装置は、側面に円弧状の切り込み部を備え、前記切り込み部は前記台座の先端に当接するようにされたことを特徴とする請求項１乃至請求項４のいずれかに記載のＩＰ電話機。
【発明の詳細な説明】
【０００１】
【発明の属する技術分野】
本発明は、通信ケーブル固定装置により通信ケーブルが固定されるＩＰ電話機に関するものである。
【０００２】
【従来の技術】
現在、インターネット経由での音声相互通信が可能となるＩＰ（Ｉｎｔｅｒｎｅｔ　Ｐｒｏｔｏｃｏｌ）電話機においては、例えば特開２００１−８５８６９号公報に記載されるようにＩＰ電話機本体背面に通信ケーブル接続コネクタが設けられ、この通信ケーブル接続コネクタにインターネット接続端末装置、例えばパソコン等に接続されている通信ケーブルを接続することによりＩＰ電話を実現している。
【０００３】
図７は、接続された通信ケーブルが固定されない従来のＩＰ電話機の構成を示す斜視図であり、図７においてＩＰ電話機１１０は、台座１１１の上に載置され、ＩＰ電話機１１０の電話機本体背面に通信ケーブル接続コネクタ１１２が設けられ、通信ケーブル接続コネクタ１１２に通信ケーブル１１３が接続されている。
【０００４】
しかし、図７に示されるＩＰ電話機１１０の電話機本体背面の通信ケーブル接続コネクタ１１２に接続される通信ケーブル１１３といっても、ケーブルの柔軟度やケーブル径の異なる各種のものが提供されており、このような状況下にあって通信ケーブルを束ねて一様に固定することは困難であり、従来では、ＩＰ電話機１１０を移動させるたびに通信ケーブル１１３が引っ張られたり折れ曲がったりして通信ケーブル接続コネクタ１１２に懸かる負荷を抑えることができないためケーブル接続コネクタ１１２の半田剥離を起こしてしまうという問題があった。
【０００５】
また、台座１１１の高さが変更されたりしてＩＰ電話機本体背面の通信ケーブル接続コネクタ１１２が設置面から高い位置に変わってしまった場合には、通信ケーブルを束ねて一様に固定することが困難であったため、取付接続した後の通信ケーブル１１３のケーブル形状が乱れて見栄えが悪いという問題があった。
【０００６】
【発明が解決しようとする課題】
そこで本発明は、通信ケーブル固定装置を備え、通信ケーブルが引っ張られても通信ケーブル接続コネクタに懸かる負荷を抑えることができるＩＰ電話機を提供することを目的とする。
【０００７】
【課題を解決するための手段】
本発明は、電話機本体背面に設けられた通信ケーブル接続コネクタに通信ケーブルを接続するＩＰ電話機において、前記ＩＰ電話機は、前記通信ケーブルを固定する通信ケーブル固定装置を備え、前記通信ケーブル固定装置は、前記ＩＰ電話機を載置する台座に固着されることを特徴とする。
【０００８】
このような構成により、硬い通信ケーブルを容易に固定することができ、ケーブル接続コネクタへの負荷を抑えるため、ケーブル接続コネクタの半田剥離等を防ぐことができる。また、太さの異なる通信ケーブルでも外れることなく容易に固定できる。さらに、電話機操作面の角度を高くしても通信ケーブルを固定することでケーブルのケーブル形状が乱れることがなく整然としていて見栄えを良くすることができる。
【０００９】
【発明の実施の形態】
以下、本発明の実施の形態について、図面を用いて説明する。
図１は、本発明の実施形態に係る接続された通信ケーブルが固定されたＩＰ電話機の構成を示す斜視図であり、図１においてＩＰ電話機１０は、載置される電話機本体後部の高さ調節が可能なストッパ１５が設けられた台座１１の上に載置され、ＩＰ電話機１０の電話機本体背面に通信ケーブル接続コネクタ１２が設けられ、通信ケーブル接続コネクタ１２に通信ケーブル１３が接続されるとともに、通信ケーブル固定装置１４により接続された通信ケーブル１３の状態を固定するようにしている。
【００１０】
図２は、本発明の実施形態に係る通信ケーブル固定装置の構成を示す表面斜視図である。図３は、本発明の実施形態に係る通信ケーブル固定装置の構成を示す背面斜視図である。図２および図３において本発明の実施形態に係る通信ケーブル固定装置１４は、天面２１と天面２１に隣接する斜面２７に貫通する切り欠き溝２４と、正面２２と正面２２に隣接する斜面２７に貫通する切り欠き溝２５とを設け、天面２１の底面に空洞２９を設けるとともに斜面２７の対面に空洞２８を設ける。通信ケーブル固定装置１４を合成樹脂で製作する場合に空洞２８および２９を設けることで製作し易くなると共に製作した通信ケーブル固定装置１４の重量を軽減するようにしている。また側面２３には円弧状の切り込み部２６を設ける。切り込み部２６は通信ケーブル固定装置１４を台座１１に固着した場合に設置面と台座１１との間の角度を一定に保持するのに役立つように台座の先端に当接される。
【００１１】
さらに、通信ケーブル固定装置１４の正面の裏側には、ガイド突起３０と一対の爪部３１とが設けられている。通信ケーブル固定装置１４を台座１１に固着する場合、ガイド突起３０は台座１１に設けられた空隙５３に案内されるとともに一対の爪部３１は台座１１に設けられた取付孔５２を貫通してその弾性力により取付部５１にロックされる（図５及び図６（ａ）参照）。
【００１２】
図４は、本発明の実施形態に係る通信ケーブル固定装置に通信ケーブルを挿通して固定した場合の表面斜視図である。図４において通信ケーブル１３は天面に設けられた切り欠き溝２４と正面に設けられた切り欠き溝２５との間に挿通された状態で通信ケーブル固定装置１４により固定される。この場合、通信ケーブル固定装置１４の側面に設けた切り込み部２６は設置面と台座１１との間の角度を一定に保持するのに役立つように台座の先端に当接される。なお通信ケーブル固定装置１４を台座１１への固着については後述する。
【００１３】
図５は、本発明の実施形態に係る通信ケーブル固定装置に通信ケーブルを挿通して固定した場合の背面斜視図である。図５において通信ケーブル固定装置１４は、通信ケーブル固定装置１４の正面の裏側に設けられたガイド突起３０が台座１１に設けられた空隙５３に案内されるとともに弾性を有する一対の爪部３１が台座１１に設けられた取付孔５２を貫通して取付部５１にロックされる。
【００１４】
このような状態で通信ケーブル１３は通信ケーブル固定装置１４に固定されるので、ＩＰ電話機１０を移動させることがあってもＩＰ電話機本体背面に設けられた通信ケーブル接続コネクタ１２に対する荷重は低く抑えられことになり、且つ通信ケーブル１３のケーブル形状が乱れることがなくなるので整然としていて見栄えが良い（図１参照）。なお、図１では、ストッパ１５が高い位置に設定されているので、ストッパ１５をこれより低い位置に設定した場合には、通信ケーブル接続コネクタ１２と通信ケーブル固定装置１４との位置が接近することになるが、この場合であっても通信ケーブル固定装置１４への通信ケーブル１３の挿通を改めることで所定の位置関係で通信ケーブル１３を固定することができる。
【００１５】
図６（ａ）は本発明の実施形態に係る通信ケーブル固定装置が固着される台座に設けられた取付部の構成を示す破断斜視図である。また、図６（ｂ）は図６（ａ）に示した台座に設けられ取付部の構成を示す破断背面図である。
【００１６】
図６（ａ）および図６（ｂ）において、通信ケーブル１３が挿通された状態で通信ケーブル固定装置１４の正面の裏側に設けられたガイド突起が台座１１に設けられた空隙５３に案内されるとともに弾性を有する一対の爪部が台座１１に設けられた取付孔５２を貫通して取付部５１にロックされる。
【００１７】
これにより、通信ケーブル固定装置１４は台座１１に固着され、さらに通信ケーブル１３はこの状態で通信ケーブル固定装置１４に固定されることになるので、ＩＰ電話機を移動させることがあってもＩＰ電話機本体背面に設けられた通信ケーブル接続コネクタへの負荷を抑えることができる。
【００１８】
【発明の効果】
上記実施の形態から明らかなように本発明によれば、硬い通信ケーブルを容易に固定することができ、ケーブル接続コネクタへの負荷を抑えるため、ケーブル接続コネクタの半田剥離等を防ぐことができるという効果を有する。また、太さの異なる通信ケーブルでも外れることなく容易に固定できるという効果を有する。さらに、電話機操作面の角度を高くしても通信ケーブルを固定することでケーブルのケーブル形状が乱れることがなく整然としていて見栄えを良くすることができるという効果を有する。
【図面の簡単な説明】
【図１】本発明の実施形態に係る接続された通信ケーブルが固定されたＩＰ電話機の構成を示す斜視図
【図２】本発明の実施形態に係る通信ケーブル固定装置の構成を示す表面斜視図
【図３】本発明の実施形態に係る通信ケーブル固定装置の構成を示す背面斜視図
【図４】本発明の実施形態に係る通信ケーブル固定装置に通信ケーブルを挿通して固定した場合の表面斜視図
【図５】本発明の実施形態に係る通信ケーブル固定装置に通信ケーブルを挿通して固定した場合の背面斜視図
【図６】（ａ）本発明の実施形態に係る通信ケーブル固定装置が固着される台座に設けられた取付部の構成を示す破断斜視図
（ｂ）図６（ａ）に示した台座に設けられ取付部の構成を示す破断背面図
【図７】接続された通信ケーブルが固定されない従来のＩＰ電話機の構成を示す斜視図
【符号の説明】
１０　ＩＰ電話機
１１　台座
１２　通信ケーブル接続コネクタ
１３　通信ケーブル
１４　通信ケーブル固定装置
１５　ストッパ
２１　天面
２２　正面
２３　側面
２４　切り欠き溝
２５　切り欠き溝
２６　切り込み部
２７　斜面
２８　空洞
２９　空洞
３０　ガイド突起
３１　爪部
５１　取付部
５２　取付孔
５３　空隙
１１０　ＩＰ電話機
１１１　台座
１１２　通信ケーブル接続コネクタ
１１３　通信ケーブル
【図１】
2004104668.tif 000003
【図２】
2004104668.tif 000004
【図３】
2004104668.tif 000005
【図４】
2004104668.tif 000006
【図５】
2004104668.tif 000007
【図６】
2004104668.tif 000008
【図７】
2004104668.tif 000009